(57)【要約】【課題】  複数の画像を対応する複数の表示器に並列表示する際に、画像処理プロセッサの出力処理系の解像度に制約されることがない。【解決手段】  画像処理プロセッサの送信処理部は、４個の表示器のそれぞれに並列的に表示されるべき、解像度ｗ×ｈの画像を連結的に作成し、それらの画像の画像データを、水平解像度ｍａｘＷを有する出力処理系を介して送信する際に、２ｗ≦ｍａｘＷ＜３ｗのとき、水平方向及び垂直方向に２×２で並べて送信する。特に、送信処理部の垂直解像度が１画素、すなわちラインバッファを備えている場合には、垂直方向にライン単位で分断して順に送信する。【選択図】  図３
2015028568.tif 000002
【特許請求の範囲】
【請求項１】
ｎ個の表示器と、
そのｎ個の表示器のそれぞれに並列的に表示されるべき、解像度ｗ×ｈのｎ個の画像を連結的に作成し、それらの画像の画像データを、水平解像度ｍａｘＷを有する出力処理系を介して送信する画像処理プロセッサと、
その画像処理プロセッサから送信された画像データを受信し、前記ｎ個の表示器に対応する各画像に分割して各表示器に送る画像分割処理部と、
を備える画像表示処理装置であって、
前記画像プロセッサは、前記出力処理系において、前記ｎ個のうちの、以下の式を満たすｉ個ずつ水平方向に連結して送信することを特徴とする画像表示処理装置。
ｎ＝ｉ×ｊ＋ｋ（０≦ｋ≦ｉ−１）
ｗ×ｉ≦ｍａｘＷ＜ｗ×（ｉ＋１）
【請求項２】
前記出力処理系の垂直解像度ｍａｘＨは、前記解像度ｈよりも大きいことを特徴とする請求項１に記載の画像表示処理装置。
【請求項３】
前記出力処理系の垂直解像度ｍａｘＨが前記解像度ｈよりも小さい場合には、前記ｎ個の画像を垂直方向について前記垂直解像度ｍａｘＨ単位で分断して順に送信することを特徴とする請求項１に記載の画像表示処理装置。
【請求項４】
前記垂直解像度ｍａｘＨは、１画素であることを特徴とする請求項３に記載の画像表示処理装置。
【請求項５】
ｗ×ｉ＝ｍａｘＷとなるように、前記ｎ個の表示器の解像度ｗを決定することを特徴とする請求項１に記載の画像表示処理装置。
【請求項６】
ｋ＝０であることを特徴とする請求項１に記載の画像表示処理装置。
【請求項７】
ｎ＝４のとき、ｉ＝ｊ＝２であることを特徴とする請求項６に記載の画像表示処理装置。
【請求項８】
前記画像は、動画像であることを特徴とする請求項１乃至７のいずれかに記載の画像表示処理装置。
【発明の詳細な説明】
【技術分野】
【０００１】
本発明は、画像表示処理装置に関し、特に、複数の画像を対応する複数の表示器に並列表示するような画像表示処理装置に関する。
【背景技術】
【０００２】
昨今のゲーム機やパチンコ機等の遊技機においては、複数の表示器（典型的には、液晶表示器）が備わり、それらの表示器に、とりわけ相互に連係する動画像を同時並列的に表示することがよく行われるようになってきている。かかる構成や機能を有する画像表示制御においては、無論、複数の表示器のそれぞれに対応した表示処理制御部（典型的には画像処理専用プロセッサ）及び表示指令制御部（典型的にはＣＰＵ）等を備え、最上段の表示指令制御部間で相互に同期・連係等をとりながら全並列的に処理することで並列画像表示を実現することも可能である。
【０００３】
しかしながら、上述のような構成では、冗長であり、表示器の数に応じて回路規模が無駄に増してしまうという欠点がある。従って、最近では、かかる欠点を解消すべく、単一の表示指令制御部及び表示処理制御部等を介して、各表示器に表示すべき各画像を連結的に処理し、表示器の直前でそれらの複数の画像を分割してそれぞれの表示器に送るという構成が一般的となってきている（例えば、特許文献１参照）。この特許文献１においては、その図３及び図４（ｂ）に示されているように、画像生成装置が、Ａ画面用画像データ及びＢ画面用画像データをフレームメモリ上で水平方向に並べて配置して処理し、それらをライン単位で画像分割装置に送り、その画像分割装置が分割処理を行って、Ａ画面用ディスプレイ及びＢ画面用ディスプレイのそれぞれに表示するようにしている。
【先行技術文献】
【特許文献】
【０００４】
【特許文献１】特開２０００−００３１６４号公報
【発明の概要】
【発明が解決しようとする課題】
【０００５】
ところで、上述のように処理では、表示器の数が増すにつれて、例えばその図１５に示すように、フレームメモリ上で水平方向に配列させる画像データの数が増す。しかしながら、表示処理制御部の出力処理系の解像度、具体的には、送信バッファの容量、には上限があり、かかる方式で処理できる画像の数、言い換えればサポートできる表示器の数は、その水平解像度により制約されてしまう。図２及び図６は、かかる内容を説明するための図である。そこで、図２に示すように、例えば４つの液晶表示器３−１〜３−４に、それぞれ水平方向ｗ画素、垂直方向ｈ画素の画像［１］〜［４］を表示する場合を考える。一方、画像処理プロセッサの出力処理系が、水平解像度ｍａｘＷ及び垂直解像度ｍａｘＨの解像度（水平方向ｍａｘＷ画素及び垂直方向ｍａｘＨ画素の送信バッファ）を有しているとすると、上述の方式のように単純に水平方向に連結した場合に、画像処理プロセッサの出力処理系の水平方向の容量を超えてしまう状態を図６が示している。逆に言えば、水平解像度ｍａｘＷの出力処理系を有する画像処理プロセッサを用いて、例えば４つの同一の表示器に画像を表示する場合に、上記方式では、水平解像度ｍａｘＷ／４までの表示器しか採用できないという制約があることになる。
【０００６】
一方、表示器にあっては、遊技機等の演出等の多様性に応じて、水平方向と垂直方向の大きさの比率が各種のものがあり、表示器の水平方向の解像度が高くなればなるほど、上述の数の制約は厳しくなってくる。
【０００７】
本発明は上述のような事情から為されたものであり、本発明の目的は、複数の画像を対応する複数の表示器に並列表示する際に、画像処理プロセッサの出力処理系の解像度に制約されることのない画像表示処理装置を提供することにある。
【課題を解決するための手段】
【０００８】
上記目的を達成するため、本発明の画像表示処理装置は、ｎ個の表示器と、そのｎ個の表示器のそれぞれに並列的に表示されるべき、解像度ｗ×ｈのｎ個の画像を連結的に作成し、それらの画像の画像データを、水平解像度ｍａｘＷを有する出力処理系を介して送信する画像処理プロセッサと、その画像処理プロセッサから送信された画像データを受信し、前記ｎ個の表示器に対応する各画像に分割して各表示器に送る画像分割処理部と、を備える画像表示処理装置であって、前記画像プロセッサは、前記出力処理系において、前記ｎ個のうちの、以下の式を満たすｉ個ずつ水平方向に連結して送信することを特徴とする画像表示処理装置。
ｎ＝ｉ×ｊ＋ｋ（０≦ｋ≦ｉ−１）
ｗ×ｉ≦ｍａｘＷ＜ｗ×（ｉ＋１）
【０００９】
ここで、前記出力処理系の垂直解像度ｍａｘＨが、前記解像度ｈよりも大きければ好適である。
【００１０】
一方、前記出力処理系の垂直解像度ｍａｘＨが前記解像度ｈよりも小さい場合には、前記ｎ個の画像を垂直方向について前記垂直解像度ｍａｘＨ単位で分断して順に送信する。典型的な場合としては、前記垂直解像度ｍａｘＨは、１画素である。
【００１１】
逆に、ｗ×ｉ＝ｍａｘＷとなるように、前記ｎ個の表示器の解像度ｗを決定することができる。
【００１２】
ｋ＝０であることが望ましい。例えば、ｎ＝４のとき、ｉ＝ｊ＝２である。
【００１３】
前記画像は、動画像であることが一般的である。
【発明の効果】
【００１４】
本発明によれば、画像処理プロセッサが、ｎ個の液晶表示器のそれぞれに並列的に表示されるべき、解像度ｗ×ｈのｎ個の画像を連結的に作成し、それらの画像の画像データを、水平解像度ｍａｘＷを有する出力処理系を介して送信する際に、その画像処理プロセッサの出力処理系の解像度に制約されることなく送信できる。
【図面の簡単な説明】
【００１５】
【図１】本発明の画像表示処理装置における一実施形態の構成を示す図である。
【図２】各表示器にそれぞれ画像［１］〜画像［４］を表示する場合を示す図である。
【図３】本発明の一例を説明するための図である。
【図４】一般化した内容を説明するための図である。
【図５】６つの表示器にそれぞれ画像［１］〜画像［６］を表示する場合を示す図である。
【図６】従来の技術を説明するための図である。
【発明を実施するための形態】
【００１６】
以下、図面を参照して、本発明の実施の形態について詳細に説明する。  
図１は、本発明の画像表示処理装置における一実施形態の構成を示す図である。同図に示した装置は、画像処理プロセッサ１において連結構成した画像データＰＤを画像分割処理部２で分割して、それぞれを４つの同一の液晶表示器３−１〜３−４に表示するという構成を有している。ここで、画像処理プロセッサ１は、送信バッファ１１１を内蔵した送信処理部１１を少なくとも有している。また、画像分割処理部２は、画像処理プロセッサ１から送られてきた画像データＰＤを制御信号ＣＳのもとで受信する受信処理部２１と、受信処理部２１で受信された画像データＰＤを、選別して液晶表示器３−１〜３−４のそれぞれに対応した画像データに振り分ける処理をする画像データ振分け部２２と、その画像データ振分け部２２により振り分けられた画像データを格納するバッファ２３１−１〜２３１−４を有し、そのバッファ２３１−１〜２３１−４に格納された各画像データを処理して、各液晶表示器３−１〜３−４に表示可能な信号として生成する液晶信号生成部２３−１〜２３−４とを少なくとも有している。なお、図示しないが、画像データを圧縮して格納する画像ＲＯＭと上位ＣＰＵとが画像処理プロセッサ１には接続されており、画像処理プロセッサ１は、上位ＣＰＵからの指令に応じて、画像ＲＯＭから画像データを読み出してくるという構成が一般的である。従って、画像処理プロセッサ１は、データ伸長処理機能を有していることが一般的である。
【００１７】
ここで、画像処理プロセッサ１から画像分割処理部２に送られる画像データＰＤの形式としては、例えばＲＧＢやＬＶＤＳ（Low Voltage Differential Signaling）がある。また、画像処理プロセッサ１と画像分割処理部２との間でやり取りされる制御信号ＣＳの規格としては、例えばＩ２Ｃ（Inter-Integrated Circuit）がある。
【００１８】
そこで、図２に示すように、液晶表示器３−１〜３−４に異なる画像［１］〜画像［４］をそれぞれ同時並列的に表示する場合を考える。なお、ここでは、典型的な例として、液晶表示器３−１〜３−４は、同一サイズの表示器であり、画像［１］〜画像［４］は同一のｗ×ｈのサイズを画像であるとする。しかしながら、本発明の主旨においては、各表示器は同一である必要はなく、また、各画像も同一サイズである必要はない。なお、画像としては静止画でもよいが、典型的には動画である。
【００１９】
そこで、画像処理プロセッサ１が、図示しない上記ＣＰＵからの指令に応じて、図示しない画像ＲＯＭから画像［１］〜画像［４］のデータを読み出してきて、伸長等の処理を施して図示しないフレームメモリに展開した後、送信処理部１１は、読み出してきて送信バッファ１１１に格納しつつ、送信バッファ１１１の容量単位で画像分割処理部２へ送信する。
【００２０】
そこで、図３（ａ）を参照し、送信バッファ１１１が，水平解像度ｍａｘＷを有するラインバッファである場合を説明する。ここで、２ｗ＜ｍａｘＷ＜４ｗである。また、ラインバッファであるので基本的に垂直方向にはライン単位で分割する。従って、結局、画像［１］と画像［２］とを水平方向に対にしたライン画像データをまず送り、次に画像［３］と画像［４］とを水平方向に対にしたライン画像データ送り、そしてそれを繰り返すような送り方となる。この方式は、画像をライン単位で分割して送信しなければならないが、バッファ容量は最小限に抑えることができるという利点がある。
【００２１】
次に、垂直方向にバッファ容量の制約がない場合を説明する。図３（ｂ）を参照して、垂直解像度ｍａｘＨ＞ｈであれば、画像［１］と画像［２］とを水平方向に対にして一括で送信できる。また、画像［３］と画像［４］も同様である。但し、受信側、すなわち液晶信号生成部２３−１〜２３−４内のバッファ２３１−１〜２３１−４の制約も受けることとなる。つまり、バッファ２３１−１〜２３１−４がラインバッファであれば、この場合でもライン単位で送信する必要がある。
【００２２】
ところで、図１に示した例では、液晶表示器を４つとして説明したが、それに限られることはなく、本発明の主旨は、図４に示すように、ｎ個の液晶表示器３−１〜３−ｎに拡張できる。例えば、図５は、６つの液晶表示器を備え、それぞれに画像［１］〜画像［６］を表示する例である。各画像をｗ’×ｈ’の解像度とすると、２ｗ’＜ｍａｘＷの場合である。このとき、画像［１］と画像［２］、画像［３］と画像［４］、画像［５］と画像［６］をそれぞれ対として、ライン単位で順次送信する。つまり、６つの画像を、水平方向に２つ並べ、垂直方向（時間方向）には３つをライン単位で分割して順次送信するやり方である。
【００２３】
上述の６つの画像の場合、水平方向に３つ並べ、垂直方向（時間方向）には２つをライン単位で分割して順次送信するやり方となる場合もある。いずれにしても、水平方向の解像度を最大限に利用するという方針で送ればよい。なお、一般化すれば、ｎ個の液晶表示器３−１〜３−ｎに同一解像度ｗ×ｈの画像［１］〜画像［ｎ］を表示するとして、水平方向にｉ個の組で送るとすると、以下の式を満たすような値ｉを選択すれば最適となる。
ｎ＝ｉ×ｊ＋ｋ（０≦ｋ≦ｉ−１）
ｗ×ｉ≦ｍａｘＷ＜ｗ×（ｉ＋１）
【００２４】
なお、ここでは、各表示器は同一構成であり、従って表示すべき各画像の容量を同一としたが、備わる表示器が各種であり、それに応じて表示すべき各画像の容量が異なる場合でも、本発明を適用することは、当業者であれば容易に理解できるであろう。つまり、そのときでも水平方向解像度ｍａｘＷを越えないような水平方向の画像の並べ方をすればよいのであるが、水平方向に並べる組となる画像の選択の仕方を工夫することで効果の差異がでてきることとなる。
【００２５】
以上のように、上述の実施形態によれば、画像処理プロセッサ１が、ｎ個の液晶表示器３−１〜３−ｎのそれぞれに並列的に表示されるべき、解像度ｗ×ｈのｎ個の画像［１］〜画像［ｎ］を連結的に作成し、それらの画像の画像データを、水平解像度ｍａｘＷを有する出力処理系を介して送信する際に、その画像処理プロセッサの出力処理系の解像度に制約されることなく送信できる。
【産業上の利用可能性】
【００２６】
本発明の画像表示処理装置は、複数の表示器を備えたゲーム機、パチンコ機等の遊技機に採用される。
【符号の説明】
【００２７】
１  画像処理プロセッサ
１１  送信処理部
１１１  送信バッファ
２  画像分割処理部
２１  受信処理部
２２  画像データ振分け部
２３−１〜２３−４  液晶信号生成部
２３１−１〜２３１−４  バッファ
３−１〜３−ｎ  液晶表示器
【図１】
2015028568.tif 000003
【図２】
2015028568.tif 000004
【図３】
2015028568.tif 000005
【図４】
2015028568.tif 000006
【図５】
2015028568.tif 000007
【図６】
2015028568.tif 000008